(57)【要約】【課題】紙葉類を綴じるファイル等に接続されるスライドパーツであって、従来に比べて簡易な構成でありながら、容易にスライドでき、かつ、多目的なスライドパーツに関する技術を提供す。【解決手段】紙葉類を綴じるファイルの端部に設けられたレールと係合して、レールに沿ってスライドする係合部と、前記係合部と接続される取付部であって、前記ファイルの用途に応じた所定のパーツを着脱可能に取り付ける取付部と、前記係合部と取付部とを接続する接続部であって、該取付部を、係合部に対して回動可能に接続する接続部と、を備える。【選択図】図１
2010060620.tif 000002
【特許請求の範囲】
【請求項１】
紙葉類を綴じるファイルの端部に設けられたレールと係合し、該レールに沿ってスライドする係合部と、
前記係合部と接続される取付部であって、前記ファイルの用途に応じた所定のパーツを着脱可能に取り付ける取付部と、
前記係合部と取付部とを接続する接続部であって、該取付部を、係合部に対して回動可能に接続する接続部と、を備えるスライドパーツ。
【請求項２】
前記係合部は、前記ファイルの端部の裏側と接触するファイル用支持部と、該ファイルの端部の表側に設けられた前記レールと接触するレール用支持部と、を有し、該ファイル用支持部と、該レール用支持部とによって、該ファイルの端部を挟み込みながらスライドする、請求項１に記載のスライドパーツ。
【請求項３】
前記所定のパーツに配置され、前記取付部に取り付けられる被取付部は、プレート状であり、かつ、該プレート状の被取付部には取付用の貫通孔が設けられており、
前記取付部は、前記貫通孔に挿入して前記所定のパーツが前記ファイルの面方向において移動するのを規制する面方向規制部と、前記所定のパーツが前記面方向と略直交する方向に移動することを規制する直交方向規制部と、を有する、請求項１又は請求項２に記載のスライドパーツ。
【請求項４】
前記所定のパーツには、見出し、しおり、暗記用シートのうち少なくともいずれか一つが含まれる、請求項１から請求項３のいずれか一に記載のスライドパーツ。
【請求項５】
前記ファイルは、クリアファイルであり、
前記係合部は、前記クリアファイルの表紙体の端部に設けられたレールと係合する、請求項１から請求項４のいずれか一に記載のスライドパーツ。
【発明の詳細な説明】
【技術分野】
【０００１】
本発明は、スライドパーツの技術に関する。
【背景技術】
【０００２】
ホルダやファイル用シートの端部に取り付けて、表示位置をスライド可能なインデックスに関する技術が知られている。例えば、特許文献１には、収納部を有する樹脂シート又はフィルム製のホルダの見出しが取り付けられる端部に、レール状の凹凸部を有するストリップ部材を取り付け、このストリップ部材の凹凸部に勘合してスライドできる凹凸部を有する見出し部材を取り付ける技術が開示されている。また、特許文献２には、インデックス部材のインデックスが取り付けられる側の少なくとも片面端部に上下方向で連続的に設けられた凸部に、インデックスに設けられた凹部を滑動可能に嵌合する技術が開示されている。また、特許文献３には、仕切り本体（フィルム製ホルダ等）の上端部を折り返して重ね片とすることで下端が開口する仕切り本体の上端に沿った袋部を設け、この袋部の下端の開口部に挿入して袋部と係合可能な掛止片を有する見出しを設ける技術が開示されている。
【０００３】
また、特許文献４や５には、暗記用のカードを教材等を綴じる冊子に対してスライド可能に取り付ける技術が開示されている。また、特許文献６には、暗記事項の記入欄を設けて、その暗記事項記入欄の地を予め着色した暗記用紙若しくは暗記カードと、その暗記事項記入欄の地の色と補色関係にある色で着色した有色透明の文字隠しシートと備える暗記補助具に関する技術が開示されている。更に、特許文献７には、バインダー綴じ具を乗り越えて摺動可能な隠蔽用シートを有する学習教材に関する技術が開示されている。
【特許文献１】特開２０００−５２６８１号公報
【特許文献２】特開平１０−２１７６６４号公報
【特許文献３】実登録２５９７６９４号公報
【特許文献４】実公昭３３−１２５２１号公報
【特許文献５】特公昭４４−３１４８８号公報
【特許文献６】実登録３０８０１１１号公報
【特許文献７】特開２００４−１９８８２０号公報
【発明の開示】
【発明が解決しようとする課題】
【０００４】
ホルダやファイル用シートの端部に取り付けて、表示位置をスライド可能なインデックスに関する技術として、特許文献１から３に記載の技術が知られている。これらの技術では、いずれも見出しを入れる部分が袋状であることから、インデックスを袋状に成形することが要求される上、収納部を有する樹脂シート又はフィルム製のホルダの見出しが取り付けられる端部を見出し部材が滑動するのみなので、例えばしおりや暗記シートを実現することには適さない。また、特許文献４や５に記載の技術は、スライド機構が複雑であることから、これらの技術に対しては、より簡易な構成によってスライドできる技術が求められる。また、特許文献６には、暗記補助具に関する技術が開示されているが、この技術は、ページをめくる度に暗記シートを付け替えなければならないといった煩わしさがある。更に、特許文献７に記載の学習教材は、その構成が複雑であることから、より簡易な構成が求められる。
【０００５】
本発明は、上記問題に鑑みてなされたものであり、紙葉類を綴じるファイル等に接続されるスライドパーツであって、従来に比べて簡易な構成でありながら、容易にスライドでき、かつ、多目的なスライドパーツに関する技術を提供することを課題とする。
【課題を解決するための手段】
【０００６】
本発明では、上記の課題を解決するため、ファイルの端部に設けられたレールと係合する係合部に、見出しやしおりなどのファイルの使用目的に応じた所定のパーツを着脱可能な取付部を接続し、取付部は、係合部のレールと平行な端部を基準として回動可能に係合部と接続した。
【０００７】
より詳細には、本発明は、紙葉類を綴じるファイルの端部に設けられたレールと係合し、該レールに沿ってスライドする係合部と、前記係合部と接続される取付部であって、前記ファイルの用途に応じた所定のパーツを着脱可能に取り付ける取付部と、前記係合部と取付部とを接続する接続部であって、該取付部を、前記レールと平行な接続部の端部を基準として回動可能に接続する接続部と、を備えるスライドパーツである。
【０００８】
本発明に係るスライドパーツは、係合部がファイルの端部に設けられたレールと係合することで、ファイルの端部にスライド可能に接続される。レールは、例えば、ファイルの端部の表側に突出した凸状のレールによって構成することができる。このようなレールと係合する構造としては、例えば、レールを挟み込んで挟持する構造が挙げられる。従って、本発明に係るスライドパーツは、非常に簡易な構成でファイルに対してスライドさせることができる。また、本発明に係るスライドパーツは、ファイルの用途に応じた所定のパーツを取り付ける取付部を有しており、見出し、しおり、暗記用シートといった様々なパーツが取付可能である。更に、取付部は、これらの所定のパーツを着脱自在に取り付ける。従って、本発明に係るスライドパーツには、ユーザによって異なる用途に用いることができる。更に、本発明に係るスライドパーツは、接続部を有し、この接続部は、取付部を、前記レールと平行な接続部の端部を基準として、係合部に対して回動可能に接続する。従って、スライドパーツをファイルから取り外さなくとも、ページをめくることができ、更に、ファイルの表裏を気にすることなく使用することができる。
【０００９】
ここで、本発明に係るスライドパーツにおいて、前記係合部は、前記ファイルの端部の裏側と接触するファイル用支持部と、該ファイルの端部の表側に設けられた前記レールと接触するレール用支持部と、を有する構成とすることができる。そして、係合部は、ファイル用支持部と、該レール用支持部とによって、該ファイルの端部を挟み込みながらスライドする構成とすることができる。本発明に係るスライドパーツによれば、非常に簡易な構成によって、スライドパーツをファイルに対してスライド可能に接続することができる。
【００１０】
また、本発明に係るスライドパーツは、取付部をより具体化する一態様として、例えば以下のように構成してもよい。すなわち、前記所定のパーツの前記取付部に取り付けられる被取付部は、プレート状であり、かつ、該プレート状の被取付部には取付用の貫通孔が設けられていてもよい。また、前記取付部は、前記貫通孔に挿入して前記所定のパーツが前記ファイルの面方向において移動するのを規制する面方向規制部と、前記面方向規制部が挿入された所定のパーツが前記面方向と略直交する方向に移動することを規制する直交方向規制部と、を有する構成としてもよい。
【００１１】
貫通孔の形状は限定されないが、貫通孔の形状を多角形とし、かつ、この貫通孔に挿入する面方向規制部の形状をこれと同形状の多角形とすることが好ましい。これにより、単なる面方向の移動の規制だけでなく、所定のパーツがファイルの面方向において回転することをも規制できる。面方向と略直交する方向とは、換言するとファイルの面と直交する方向である。面方向規制部によって、所定のパーツの面方向の移動を規制し、直交方向規制部によって、更に面方向と直交する方向を規制している。これにより、スライドパーツと所定のパーツとの接続状態をより確実に維持することができる。直交方向規制部は、例
えば、プレート状の被取付部を上側と下側の双方から挟み込むように構成することができる。これにより、直交方向の移動を規制することができる。なお、この場合、直交方向規制部を構成する上側又は下側のいずれかに面方向規制部を設けることができる。
【００１２】
本発明に係るスライドパーツにおいて、前記所定のパーツには、見出し、しおり、暗記用シートのうち少なくともいずれか一つが含めることができる。見出しとは、ファイルに綴じられる紙葉類の任意のページの内容をユーザに識別させるものである。しおりとは、ファイルに綴じられる紙葉類の任意のページを履歴として識別させるものである。暗記シートとは、ファイルに綴じられる紙葉類に記載された文字情報のうち、任意の文字情報を隠すことが可能なシートである。暗記シートには、シートの一部が刳り貫かれることで、刳り貫かれた部分からのみ文字情報を視認可能なシートが例示される。また、暗記シートは、所定の色で被覆、若しくは直接記載された文字情報を、透視可能な有色であって、該所定の色と混色したときに特定の色彩とするとともに該文字情報が判読しにくくなる色で着色された色つきシートで覆うことで、任意の文字情報のみ視認可能となるシートが例示される。所定のパーツは、上記に限定されるものではなく、様々なものに適用できる。所定のパーツの形状は、目的に応じて設計すればよい。
【００１３】
なお、本発明に係るスライドパーツにおいて、前記ファイルは、クリアファイルであり、前記係合部は、前記クリアファイルの表紙体の端部に設けられたレールと係合するようにしてもよい。本発明に係るスライドパーツは、上記のようなクリアファイルに接続されるスライドパーツとしても好適に用いることができる。
【００１４】
なお、本発明は、上述したスライドパーツを備えるファイルとしてもよい。また、スライドパーツに暗記用シートを取り付ける場合には、上述したスライドパーツと、スライドパーツに取り付けられる暗記シートと、暗記シート共に使用される暗記用のペンと、を備えるファイルとしてもよい。更に、本発明に係るスライドパーツは、いわゆる書見台の端部に取り付けることもできる。
【発明の効果】
【００１５】
本発明によれば、紙葉類を綴じるファイル等に接続されるスライドパーツであって、従来に比べて簡易な構成でありながら、容易にスライドでき、かつ、多目的なスライドパーツに関する技術を提供することができる。
【発明を実施するための最良の形態】
【００１６】
次に、本発明に係るスライドパーツの実施形態について図面に基づいて説明する。以下の説明では、クリアファイルにスライドパーツを接続し、スライドパーツには、暗記用シートを取り付ける場合を例に説明する。
【００１７】
＜構成＞
図１は、実施形態に係るスライドパーツを備えるクリアファイルの斜視図を示す。なお、図１における矢印は、実施形態に係るクリアファイル１０に接続されているスライドパーツ５が矢印の方向にスライド可能であることを示している。実施形態に係るクリアファイル１０は、表表紙１、裏表紙２、綴具３、クリアホルダ４によって構成され、裏表紙２に暗記用シート６が取り付けられたスライドパーツ５が接続されている。以下、各構成について、図１及び他の図面を参照しながら具体的に説明する。
【００１８】
まず、クリアファイル１０について説明する。クリアファイル１０は、表表紙１、裏表紙２、綴具３、クリアホルダ４によって構成されている。表表紙１は、縦長の長方形であり、綴具３に綴じられるクリアホルダ４を覆うべく、幅、すなわち横方向と、長さ、すなわち縦方向とのそれぞれの大きさが共にクリアホルダ４よりも一回り大きく形成されてい
る。表表紙１の幅方向の一端には、綴具３の複数のリング３１を挿入する綴じ孔（図示せず）が複数設けられている。また、本実施形態に係る表表紙１は、透明のプラスチック樹脂によって形成されている。
【００１９】
裏表紙２も、表表紙１と同じく縦長の長方形であり、綴具３に綴じられるクリアホルダ４を覆うべく、幅、長さ共にクリアホルダ４よりも一回り大きく形成されている。但し、裏表紙２の幅は、表表紙１の幅よりも、更に大きく形成されている。具体的には、スライドパーツ５の分だけ、裏表紙２の幅が、表表紙１の幅よりも大きく形成されている。これは、スライドパーツ５をスライドさせる際に、スライドパーツ５とクリアホルダ４との接触を防止するためである。裏表紙２の幅方向の一端にも、表表紙１と同じく、綴具３の複数のリング３１を挿入する綴じ孔１１が複数設けられている。なお、本実施形態に係る裏表紙２は、表表紙１と同じく、透明のプラスチック樹脂によって形成されている。
【００２０】
なお、裏表紙２には、表表紙１とは異なる構成として、幅方向の他端にレール２１が設けられている。ここで、図２Ａは、実施形態に係る裏表紙の平面図を示し、図２Ｂは、図２ＡにおけるＡＡ断面を示す。裏表紙２の他端の表側には、端部に沿って細長状のレール２１が設けられている。レール２１は、断面視が横長の長方形であり、裏表紙２の表側に突出するように設けられている。レール２１の上端と下端は、レール２１に係合されるスライドパーツ５が抜けるのを防止するため、抜け止め防止部２１ａが設けられている。抜け止め防止部２１ａは、レール２１の上端及び下端においてレール２１の幅が大きく、換言するとレール２１が、上端及び下端において、綴じ孔１１が設けられる一端側に突出するように形成されている。なお、本実施形態に係るクリアファイル１０では、表表紙１、裏表紙２、及びレール２１がプラスチック樹脂によって形成されている。そして、裏表紙２とレール２１とは、別部材として構成され、裏表紙２の表側に、レール２１が溶着されることで、接続されている。図２Ａにおける符号２２は、溶着の際に設けられた孔である。
【００２１】
ここで、本実施形態では、裏表紙２とレール２１とを別部材として構成したが、裏表紙２とレール２１は一体的に形成してもよい。一体的な構成は、例えば、裏表紙２の他端を折り返すことで実現可能である。また、孔２２は、溶着によって形成されるものであるが、この孔２２を位置決め用の孔として利用してもよい。この場合、スライドパーツ５側には、この孔２２に挿入可能な凸部を設ければよい。これにより、スライドパーツ５のスライド方向への移動を段階的に規制することが可能となる。すなわち、スライドパーツ５をレール２１に沿ってスライドさせると、凸部が順次孔２２に挿入される。ユーザの手には、段階的に抵抗の変化が伝達されることから、ユーザはこの抵抗の変化を頼りにスライドパーツ５を任意の位置に止めることができる。凸部が任意の孔２２に挿入された状態では、スライドパーツ５の移動が制限されることから、スライドパーツ５を所定の位置に停止させることが可能となる。
【００２２】
綴具３は、開閉可能な複数のリング３１によって構成されている。クリアホルダ４の幅方向の一端には、リング３１を挿入する綴じ孔が複数設けられている。クリアホルダ４には、ユーザが所望する書類等を綴じこむことができる。なお、本実施形態では、クリアホルダ４を綴じているが、書類等の紙葉類を直接綴じるようにしてもよい。また、綴具３はあくまで例示にすぎず、既存の様々なタイプの綴具を適用することができる。
【００２３】
次に、スライドパーツ５について説明する。図３Ａは、実施形態に係るスライドパーツの平面図を示し、図３Ｂは、図３ＡにおけるＡＡ断面を示す。スライドパーツ５は、係合部５１、取付部５２、接続部５３によって構成されている。以下、具体的に説明する。
【００２４】
係合部５１は、クリアファイル１０の裏表紙２の他端に設けられたレール２１と係合し
て、レール２１に沿ってスライドする。係合部５１は、裏表紙２の他端と接触するファイル用支持部５１０と、レール２１と接触するレール用支持部５１４とによって構成されている。ファイル用支持部５１０は、縦長の長方形であり、接続部５３側の角部は面取りされており、接続部５３と接続される接続端部５１１の長さが、接続端部５１１と対向する開放端５１２に比べて短く形成されている。ファイル用支持部５１０の中央部分には、縦長の長方形のファイル用支持部側貫通孔５１３が形成されている。
【００２５】
ファイル用支持部５１０の上方には、裏表紙２の表側に設けられたレール２１と接触するレール用支持部５１４が設けられている。レール用支持部５１４は、レール用支持部５１４の接続端部５１１側に設けられ、ファイル用支持部５１０からレール用支持部５１４に向かって立ち上げられた支持部側垂直部５１４ａと、支持部側垂直部５１４ａの上部から、ファイル用支持部５１０と略平行に、自由端部５１２側に向かって延びる押さえ部５１４ｂと、押さえ部５１４ｂの先端から下方に垂れ下がるフランジ部５１４ｃと、によって構成されている。レール用支持部５１４、押さえ部５１４ｂ、支持部側垂直部５１４ａ、及びフランジ部５１４ｃとの間に形成される空間は、レール２１がスライドするレール用通路５１５である。レール用通路５１５に、レール２１が通るよう、レール用支持部５１４、押さえ部５１４ｂ、支持部側垂直部５１４ａ、及びフランジ部５１４ｃの幅や高さ等が設計されている。
【００２６】
取付部５２には、後述する暗記用シート６の被取付部６１を取り付ける。取付部５２は、暗記用シート６の被取付部６１を下側から支持する取付部側支持部５２４と、取付部側支持部５２４に設けられ、暗記用シート６に設けられている取付孔６２に挿入して暗記用シート６が裏表紙２の面方向において移動するのを規制する面方向規制部５２４ｃと、面方向規制部５２４ｃが挿入された暗記用シート６が面方向と略直交する方向に移動することを規制する直交方向規制部５２０と、によって構成されている。
【００２７】
直交方向規制部５２０は、縦長の長方形であり、接続部５３側の角部は面取りされており、接続部５３と接続される取付部側接続端部５２１の長さが、取付部側接続端部５２１と対向する取付部側開放端５２２に比べて短く形成されている。直交方向規制部５２０の中央部分には、縦長の長方形の取付部側貫通孔５２３が形成されている。
【００２８】
直交方向規制部５２０の下方には、暗記用シート６の被取付部６１を下側から支持する取付部側支持部５２４が設けられている。取付部側支持部５２４は、取付部側支持部５２４の取付部側接続端部５２１側に設けられ、直交方向規制部５２０から取付部側支持部５２４に向かって垂れ下がる取付部側垂直部５２４ａと、取付部側垂直部５２４ａの下部から、直交方向規制部５２０と略平行に、取付部側支持部の取付部側自由端部５２２側に向かって延びる支え部５２４ｂと、支え部５２４ｂの先端寄りに設けられた面方向規制部５２４ｃと、によって構成されている。直交方向規制部５２０と取付部側支持部５２４との間には、暗記用シート６の被取付部６１が挿入され、面方向規制部５２４ｃが後述する取付孔６２に挿入される。暗記用シート６が抜け落ちないよう、直交方向規制部５２０と取付部側支持部５２４ｂとの間隔は、暗記用シート６の厚さと凡そ一致しており、面方向規制部５２４ｃの高さは、暗記用シート６の厚さよりもやや高いか、凡そ一致している。支え部５２４ｂは、縦長の長方形であり、その上面に支え部５２４ｂより小さい縦長の長方形の面方向規制部５２４ｃが設けられている。
【００２９】
接続部５３は、上述した係合部５１と取付部５２とを回動可能に接続する。すなわち、接続部５３は、細長状の長方形でありその幅方向の両端部に薄肉ヒンジ５３１、５３２が設けられている。その結果、取付部５２は、係合部５１に対してヒンジ５３１、５３２を軸として自由に回転することができる。ここで、図４は、実施形態に係るスライドパーツの回転状態を示す。図４において、（ｃ）は、取付部５２を係合部５１に対して開いた状
態を示す。（ａ）は、取付部５２を表側に倒した状態を示し、（ｂ）は、（ｃ）と（ａ）との間の状態を示す。また、（ｅ）は、取付部５２を裏側に倒した状態を示し、（ｄ）は、（ｃ）と（ａ）との間の状態を示す。このように、実施形態に係るスライドパーツ５は、接続部５３を備えることで、取付部５２を自由に回転させることができる。
【００３０】
上述した本実施形態のスライドパーツ５は、一枚のプレート状のプラスチック樹脂によって一体成形されている。図３Ａ、図３Ｂに示すように、係合部５１及び取付部５２には、夫々、ファイル用支持部側貫通孔５１３、取付部側貫通孔５２３が設けられ、更に、これらの貫通孔の上方、若しくは下方に押さえ部５１４ｂ又は支え部５２４ｂが形成されていた。すなわち、係合部５１についてみると、係合部５１のファイル用支持部側貫通孔５１３の部分のプラスチック樹脂を、成形の際、押さえ部５１４ｂとして利用して成形している。このように本実施形態に係るスライドパーツ５は、一体成形が可能であり、製造過程における負担の軽減も図ることができ、また、部品点数も削減することが可能である。
【００３１】
次に、暗記用シート６について説明する。図５Ａは、暗記用シートの平面図を示し、図５Ｂは、図５ＡにおけるＡＡ断面図を示す。暗記用シート６は、横長の長方形であり、スライドパーツ５に取り付けられる側の端部に取付孔６２が設けられている。取付孔６２は、縦長の長方形であり、スライドパーツ５に設けられている面方向規制部５２４ｃの形状と略一致している。なお、取付孔６２の周囲であって、スライドパーツ５と接触する領域が、被取付部６１に相当する。暗記用シート６は、所定の色で被覆、若しくは直接記載された文字情報を覆うことで、任意の文字情報のみ視認可能となるシートによって構成することができる。
【００３２】
＜使用方法＞
次に、上述した実施形態に係るスライドパーツ５の使用方法について説明する。実施形態に係るスライドパーツ５は、暗記用シート６を接続した状態で、クリアファイル１０の裏表紙２に接続して使用する（図１参照。）。ここで、図６Ａは、実施形態に係るスライドパーツの接続状態の拡大平面図を示す。図６Ｂは、図６ＡのＡＡ断面を示す。係合部５１にレール２１を係合し、取付部５２に暗記用シート６を取り付けることで使用可能となる。なお、実施形態に係るスライドパーツ５は、プラスチック樹脂によって形成されていることから、スライドパーツ５の所定の部分を撓ませることで、レール２１との係合及び解除、暗記用シート６の取付及び取り外しを自由に行うことができる。
【００３３】
具体的には、係合部５１をレール２１と係合させる場合には、レール用支持部５１４とファイル用支持部５１０との間隔が広がるように、レール用支持部５１４を上方に引き上げるかファイル用支持部５１０を下方に引き下げ、裏表紙側開放端５１２側から接続端部５１１側に向かって、レール２１が設けられた裏表紙２を挿入する。レール２１がフランジ部５１４ｃを乗り越えると、レール用通路５１５に収まり、レール２１の係合が完了する。なお、レール２１の係合状態を解除する場合には、逆の手順によって行えばよい。また、取付部５２に暗記用シート６を取り付ける場合には、直交方向規制部５２０と取付部側支持部５２４との間隔が広がるように、直交方向規制部５２０を上方に引き上げるか、取付部側支持部５２４を下方に引き下げて、取付部側自由端部５２２側から取付部側接続端部５２１側に向かって、暗記用シート６の被取付部６１を挿入する。暗記用シート６の先端（接続側の端部）が上方に突出している面方向規制部５２４ｃを乗り越えて、面方向規制部５２４ｃが取付孔６２に挿入されると、暗記用シート６の取り付けが完了する。なお、暗記用シート６を取り外す場合には、逆の手順によって行えばよい。
【００３４】
ここで、本実施形態に係るスライドパーツ５には、暗記用シート６が取り付けられている。そこで、暗記用シート６を取り付けた場合の使用方法について説明する。図７Ａは、実施形態に係るクリアファイルが綴じられた状態を示す。図７Ｂは、実施形態に係るクリ
アファイルを開いた状態であって、暗記用シートで文字情報を覆った状態を示す。図７Ｃは、実施形態に係るスライドパーツをスライドさせることで、覆っていた文字情報を視認できるようにした状態を示す。図７Ｄは、実施形態に係るスライドパーツを１８０度回転させた状態を示す。図７Ｅは、実施形態に係るスライドパーツを３６０度回転させた状態を示す。
【００３５】
クリアファイル１０を棚等に収容する際、持ち運ぶ際には、図７Ａに示すように、クリアファイル１０を綴じた状態で使用する。この時、暗記用シート６は、綴じられているクリアホルダ４の任意のページに挟み込むようすればよい。これにより、スライドパーツ５は、しおりとしても機能することができる。次に、実際に使用するに際しては、図７Ｂに示すように、クリアホルダ４に収容されている書類等に記載されている文字情報を覆う。図７Ｂでは、暗記用シート６を通じて「      」のための秘密兵器暗記の「        」が視認可能である。「」で示された部分は、予め暗記用シート６と対で使用されるペンで所定の色に被覆、若しくは、所定の色で直接記載された文字情報を示す。すなわち、暗記用シート６を通じて文字情報を見ることで、一部の文字のみ視認可能、換言すると、記憶したい文字を隠すことができる。
【００３６】
次に、暗記用シート６によって隠されていた文字が思い浮かんだり、若しくは次の文字情報に移りたい場合には、図７Ｃに示すように、スライドパーツ５を下方にスライドさせる。その結果、暗記用シート６によって、「暗記」「効率アップ」といった文字が視認可能となる。すなわち、記憶の確認、若しくは改めて文字情報に含まれる任意の文字の記憶を行うことができる。なお、クリアホルダ４のページを変更したい場合には、図７Ｄに示すように、スライドパーツ５を１８０度回転させる。この状態とすることで、自由にページをめくることが可能となる。すなわち、本実施形態に係るスライドパーツ５によれば、スライドパーツ５をその都度取り外すことなく、ページをめくることができる。
【００３７】
なお、本実施形態のスライドパーツ５は、図７Ｅに示すように凡そ３６０度回転させることもできる。すなわち、裏表紙２の裏面側においても使用可能である。裏表紙２を透明なプラスチック樹脂によって形成しておくことで、クリアファイル１０に綴じられている最終ページについて暗記用シート６を使用することができる。
【００３８】
以上、本発明の好適な実施形態について説明したが、本発明はこれに限定されることなく、本発明の技術的思想を逸脱することなく種々の設計変更をなしえることは勿論である。例えば、上述した実施形態で説明した、ファイルの態様は、あくまで一例にすぎず、実施形態に係るスライドパーツは、既存の様々なファイルに適用することができる。また、本実施形態では、スライドパーツに取り付けるパーツを暗記用シートとして説明した。但し、スライドパーツに取付可能なパーツは、暗記用シートに限定されない。例えば、暗記用シートに代えて、しおり、インデックス等を取り付けることができる。また、ファイルでなく、例えばいわゆる書見台の端部に取り付け、暗記用シートに代えて文字情報を指し示すプレート状の目安バー等を設け、目安バーをパソコン等によって文字情報を入力する際の入力対象部分に当てて、順次スライドさせる。これにより、パソコン等における文字入力が容易となる。
【図面の簡単な説明】
【００３９】
【図１】実施形態に係るスライドパーツを備えるクリアファイルの斜視図を示す。
【図２Ａ】実施形態に係る裏表紙の平面図を示す。
【図２Ｂ】図２ＡにおけるＡＡ断面を示す。
【図３Ａ】実施形態に係るスライドパーツの平面図を示す。
【図３Ｂ】図３ＡにおけるＡＡ断面を示す。
【図４】実施形態に係るスライドパーツの回転状態を示す。
【図５Ａ】暗記用シートの平面図を示す。
【図５Ｂ】図５ＡにおけるＡＡ断面図を示す。
【図６Ａ】実施形態に係るスライドパーツの接続状態の拡大平面図を示す。
【図６Ｂ】図６ＡのＡＡ断面を示す。
【図７Ａ】実施形態に係るクリアファイルが綴じられた状態を示す。
【図７Ｂ】実施形態に係るクリアファイルを開いた状態であって、暗記用シートで文字情報を覆った状態を示す。
【図７Ｃ】実施形態に係るスライドパーツをスライドさせることで、覆っていた文字情報を視認できるようにした状態を示す。
【図７Ｄ】実施形態に係るスライドパーツを１８０度回転させた状態を示す。
【図７Ｅ】実施形態に係るスライドパーツを３６０度回転させた状態を示す。
【符号の説明】
【００４０】
１・・・表表紙
２・・・裏表紙
３・・・綴具
４・・・クリアホルダ
５・・・スライドパーツ
６・・・暗記用シート
５１・・・係合部
５２・・・取付部
５３・・・接続部
【図１】
2010060620.tif 000003
【図２Ａ】
2010060620.tif 000004
【図２Ｂ】
2010060620.tif 000005
【図３Ａ】
2010060620.tif 000006
【図３Ｂ】
2010060620.tif 000007
【図４】
2010060620.tif 000008
【図５Ａ】
2010060620.tif 000009
【図５Ｂ】
2010060620.tif 000010
【図６Ａ】
2010060620.tif 000011
【図６Ｂ】
2010060620.tif 000012
【図７Ａ】
2010060620.tif 000013
【図７Ｂ】
2010060620.tif 000014
【図７Ｃ】
2010060620.tif 000015
【図７Ｄ】
2010060620.tif 000016
【図７Ｅ】
2010060620.tif 000017